(57)【要約】【課題】  確実に運転者の携帯機２を通話装置１と自動的に接続することができるハンズフリー通話を行う通話装置１を提供する。【解決手段】  通話装置１は、車両に設けられた通話装置１と携帯機２との間で情報を送受信するための第一の通信部４００と、生体情報と携帯機情報を関連付けて記憶する記憶部３００と、生体情報を取得する情報取得部１００と、情報取得部１００から取得された運転者の生体情報を基に運転者の携帯機情報を記憶部３００から検索する検索部２００とを備え、情報取得部１００から取得された運転者の生体情報と関連付けられた携帯機情報が検索部２００より検索された場合、この携帯機情報に対応する携帯機２と第一の通信部４００を介して情報を送受信する。【選択図】図１
2011010070.tif 000002
【特許請求の範囲】
【請求項１】
車両の運転者が携帯機を用いてハンズフリー通話を行う通話装置であって、
前記車両に設けられた前記通話装置と携帯機との間で情報を送受信するための第一の通信部と、
生体情報と携帯機情報を関連付けて記憶する記憶部と、
前記生体情報を取得する情報取得部と、
前記情報取得部から取得された運転者の生体情報を基に運転者の携帯機情報を前記記憶部から検索する検索部とを備え、
前記情報取得部から取得された運転者の生体情報と関連付けられた携帯機情報が前記検索部より検索された場合、この携帯機情報に対応する携帯機と前記第一の通信部を介して情報を送受信する通話装置。
【請求項２】
車両に再乗車した運転者が最後にハンズフリー通話を使用した運転者と同一人物である場合、前記記憶部に記憶されている携帯機情報を出力せずに、運転者が最後にハンズフリー通話を接続していた設定を維持した状態でハンズフリー通話を行うことを特徴とする請求項１に記載の通話装置。
【請求項３】
車外と通信する第二の通信部をさらに備え、
前記情報取得部は取得した情報を前記第二の通信部から車外に設置された記憶部に送信し、前記認証部は記憶された情報を前記第二の通信部から受信して取得することを特徴とする請求項１に記載の通話装置。
【請求項４】
携帯機情報を入力するための入力手段をさらに備え、
前記入力手段は無線通信を利用することを特徴とする請求項１に記載の通話装置。
【請求項５】
前記情報取得部は、運転座席のハンドル、ドアノブ、シフトレバー又はルームミラーに設置されていることを特徴とする請求項１に記載の通話装置。
【請求項６】
前記情報取得部は、前記運転者の指紋、声紋、虹彩又は静脈パターンを、運転者を特定する生体情報として取得することを特徴とする請求項１に記載の通話装置。
【発明の詳細な説明】
【技術分野】
【０００１】
本発明は無線通信装置を搭載した通話装置と携帯機との自動接続に関するものである。
【背景技術】
【０００２】
従来の携帯機の自動接続として、自動接続の許可・禁止をユーザーが設定可能なものが知られている（例えば特許文献１参照）。
【先行技術文献】
【特許文献】
【０００３】
【特許文献１】特開２００７−１１６２５４号公報
【発明の概要】
【発明が解決しようとする課題】
【０００４】
しかしながら、従来の携帯機の自動再接続においては、ユーザーは機能の許可・禁止の設定しかできないために、例えば運転者Ａが自分が保有する携帯機を登録・利用した後、運転者Ｂに代わっても運転者Ｂの携帯機と接続されずに登録済みである運転者Ａの携帯機に接続してしまうという問題があった。
【０００５】
本発明は、運転者を特定する個人認証装置を用いて、確実に運転者が保有する携帯機と通話装置を自動接続してハンズフリー通話を行う通話装置を提供することを目的とする。
【課題を解決するための手段】
【０００６】
本発明である車両の運転者が携帯機を用いてハンズフリー通話を行う通話装置は、車両に設けられた通話装置と携帯機との間で情報を送受信するための第一の通信部と、生体情報と携帯機情報を関連付けて記憶する記憶部と、生体情報を取得する情報取得部と、前記情報取得部から取得された運転者の生体情報を基に運転者の携帯機情報を前記記憶部から検索する検索部とを備え、情報取得部から取得された運転者の生体情報と関連付けられた携帯機情報が検索部より検索された場合、この携帯機情報に対応する携帯機と第一の通信部を介して情報を送受信することを特徴とする。
【発明の効果】
【０００７】
本発明は、運転者を特定することのできる生体情報と携帯機情報を対応させて記憶する装置を設けることにより、認証部によって認証された運転者の携帯機を通話装置と自動的に接続することができるハンズフリー通話を行う通話装置を提供することができるものである。
【図面の簡単な説明】
【０００８】
【図１】本発明の第１の実施の形態におけるハンズフリー通話を行う通話装置のブロック図
【図２】同動作説明のためのフロー図
【図３】同生体情報と携帯機情報を登録する処理を説明のためのフロー図
【図４】(a)同要部である記憶部に生体情報Ｔ１０１と携帯機識別情報Ｔ１０２を対応させて保持しておく個人情報登録テーブルＴ１を説明する図(b)同要部である記憶部に生体情報Ｔ２０１と携帯機識別情報Ｔ２０２を対応させて保持しておく個人情報登録テーブルＴ２を説明する図(c)同要部である記憶部に生体情報Ｔ３０１と携帯機識別情報Ｔ３０２を対応させて保持しておく個人情報登録テーブルＴ３を説明する図
【図５】本発明の第２の実施の形態におけるハンズフリー通話を行う通話装置のブロック図
【発明を実施するための形態】
【０００９】
（第１の実施の形態）
以下、本発明の第１の実施の形態である生体情報によるハンズフリー通話を行うための通話装置１について、図面を用いて説明する。
【００１０】
本発明の第１の実施の形態のハンズフリー通話を行うための通話装置のブロック図を図１に示す。
【００１１】
ハンズフリー通話を行う通話装置１は、認証部１００と、制御部２００と、記憶部３００と、第一の通信部４００と、音声出力５１０部と、入力部５２０を有する。通話装置１と携帯機２との接続は、第一の通信部４００を介して行われる。
【００１２】
認証部１００は、少なくとも運転者の生体情報を取得する情報取得部を有し、運転者を特定するための個人認証装置である。
【００１３】
入力部５２０は、通話装置１に携帯機情報を入力を行うためのものである。入力操作は、入力キーやマイク、無線通信手段を用いてもよい。携帯機２を登録するための入力情報は、携帯機２の電話番号やＩＰアドレスなどの携帯機情報を用いる。
【００１４】
音声出力部５１０は、通話装置１や携帯機２からの信号を音声として出力する。
【００１５】
記憶部３００は、取得した生体情報と携帯機情報を関連付けて記憶している。この関連付けは、図４(a)に示すように、生体情報Ｔ１０１と携帯機識別情報Ｔ１０２を対応させて保持しておく個人情報登録テーブルＴ１を用いて関連付けを行う。記憶部３００は、通話装置１内のＨＤＤ、不揮発性メモリ、ＤＶＤ、ＣＤ−Ｒなどに記憶する。
【００１６】
なお、記憶部３００は、図４(b)に示すように、一つの生体情報Ｔ２０１に対して複数の携帯機情報（Ｔ２０２〜Ｔ２０４）を保持することも可能である。これは、複数の携帯機を保持する運転者に対応するものである。
【００１７】
さらに、記憶部３００は、図４(c)に示すように、一つの生体情報に対して複数の携帯機情報を保持し、その中で一番最後に通話装置１と接続した携帯機２を記憶することが可能である。これより、例えば、運転者が携帯電話の機種を変更した場合でも、常に運転者が使用する携帯電話と通話装置１が接続することが可能である。
【００１８】
第一の通信部４００は、携帯機２と無線通信する携帯機用の第一の通信部である。
【００１９】
制御部２００は、取得した生体情報と携帯機情報を関連付けて記憶部３００に格納することを指示する。また、制御部２００は、取得した生体情報から生体情報に関連付けられている携帯機情報を記憶部３００から検索する機能を有する。さらに、検索した結果、記憶部３００から生体情報Ｔ１０１に関連する携帯機情報Ｔ１０２が見つかった場合、制御部２００は、携帯機情報Ｔ１０２を取得して、携帯機情報Ｔ１０２に対応する携帯機２と通話装置１の接続を許可する。
【００２０】
携帯機２は、無線通信によりハンズフリー通話装置１と通信する携帯機２である。
【００２１】
以上のように構成されたハンズフリー通話を行う通話装置１について、図２を用いてその動作を説明する。図２は、携帯機と通話装置１との接続処理を行う動作フローを説明する図である。本実施形態では、認証部１００は、制御部２００、記憶部３００、第一の通信部４００と接続されている。制御部２００は、認証部１００に手（指）が触れたと判断したときに、認証部１００から取得した生体情報をもとに認証処理を開始する。
【００２２】
まず、ステップＳ１０２に示すように、運転者が車両に乗車し、通話装置１本体やナビゲーション、ハンドルなどに取り付けられている認証部１００に指が接触すると、認証部１００は指紋の取得を行う。
【００２３】
次に、ステップＳ１０３に示すように、制御部２００は、取得した指紋と適合する個人情報登録テーブルＴ１が記憶部３００に存在するかを検索する。
【００２４】
次に、ステップＳ１０４に示すように、指紋と適合する個人情報登録テーブルＴ１が記憶部３００に存在した場合、制御部２００は、個人情報登録テーブルＴ１に登録されている携帯機情報Ｔ１０２を取得する。
【００２５】
次に、ステップＳ１０６に示すように、取得した携帯機情報Ｔ１０２を基に通話装置１とハンズフリー通話が行う携帯機２を決定する。
【００２６】
そして、ステップＳ１０７に示すように、決定した携帯機２と通話装置１が接続されるように処理を行う。
【００２７】
指紋と適合する個人情報登録テーブルＴ１が記憶部３００に存在しない場合、運転者は自分の指紋と携帯機情報Ｔ１０２を記憶部３００に登録する必要がある。この登録処理を図３の記憶部３００への登録処理のフローチャートを用いて説明する。
【００２８】
まず、ステップＳ２０２に示すように、ステップＳ１０２で取得した生体認証データを記憶部３００にある個人情報登録テーブルＴ１の生体情報登録エリアＴ１０１に登録する。
【００２９】
次に、ステップＳ２０３に示すように、Ｓ２０２で登録した個人情報登録テーブルＴ１の携帯機識別情報エリアＴ１０２に、携帯機情報があるか検索する。
【００３０】
そして、ステップＳ２０４に示すように、携帯機情報が登録されてなければ、携帯機情報を携帯機識別情報エリアＴ１０２に登録する。
【００３１】
このような本発明の第１の実施の形態によれば、運転者の生体情報と携帯機情報を記憶部３００に記憶しておくことにより、運転者がハンドルに設置された認証部１００に指が触れると、運転者が途中で変わっても、実際の運転者の携帯機情報が確実に通話装置１と接続され、ハンズフリー通話を行うことができる。
【００３２】
また、運転者が複数の携帯機２を保有していた場合に、個人情報登録テーブルＴ２を用いて、記憶部３００に同じ生体情報Ｔ２０１と関連づけて複数の携帯機識別情報（Ｔ２０２〜Ｔ２０４）を登録しておくことができる。
【００３３】
このような本発明の第１の実施の形態の変形例は、例えば、仕事用とプライベートように携帯電話を保持している場合に、両方の携帯電話とも通話装置１と接続させることができ、ハンズフリー通話を行うことができる。
【００３４】
なお、認証部１００は、生体情報として、指紋や、虹彩や、声紋や、静脈、顔認証などを独立または組合せて取得してもよい。また、通話装置１本体やナビゲーション、ハンドル以外の場所に設置してもよい。
【００３５】
例えば、生体情報の情報取得部を乗車時に触れるドアノブに配置することで、運転者が運転席に着く前に意識することなく認証（指紋認証や静脈認証など）を開始することができ、ハンズフリー機能を利用するまでの時間と手間を省くことができる。
【００３６】
また、生体情報の情報取得部をルームミラーに配置することで、運転開始前のミラー位置確認作業やミラーを見るときに認証（虹彩認証や顔認証など）を行なうことができ、運転者が明示的に認証作業を行なわなくても認証を行なうことが可能となる。
【００３７】
生体情報の情報取得部を運転時に必ず触れるシフトレバー等に配置することで、運転者が明示的に認証作業を行なわなくても認証（指紋認証や静脈認証など）を行なうことが可能となる。
（第２の実施の形態）
次に、本発明の第２の実施の形態であるハンズフリー通話を行う通話装置１を図５を用いて説明する。
【００３８】
なお、以下に説明する第２の実施の形態において、すでに第１の実施の形態において説明した構成と動作は省略する。
【００３９】
図５に示す第２の実施の形態のハンズフリー通話を行う通話装置１０は、記憶手段にサーバ３１０を用いる。このサーバは、自宅や会社のＰＣ、情報センタなどを活用してもよい。さらに、通話装置１０とサーバ３１０とはネットワークで接続されており、通話装置１０にはサーバと情報を送受信するための第二の通信部４１０を有する。
【００４０】
このような本発明の第２の実施の形態によれば、記憶手段をネットワーク上にある車外のサーバーを用いることで、車内にある車載機器に登録情報を残さずに済む。それにより個人情報の流出を防ぐことが可能ができ、レンタカーなど不特定多数が用いる車両にの安全に本発明のハンズフリー通話機能を活用することができる。
【産業上の利用可能性】
【００４１】
以上のように、本発明にかかる通話装置１は、ハンズフリー機能を有するナビゲーション装置の１つの機能として有用である。
【符号の説明】
【００４２】
１、１０  通話装置１
２  携帯機
１００  認証部
２００  制御部
３００  記憶部
３１０  サーバ
４００  第一の通信部
４１０  第二の通信部
５１０  音声出力部
５２０  入力部
【図１】
2011010070.tif 000003
【図２】
2011010070.tif 000004
【図３】
2011010070.tif 000005
【図４】
2011010070.tif 000006
【図５】
2011010070.tif 000007